(57)【要約】【課題】組立を簡素化して組立作業性を向上させるともに、ＬＥＤの適正な明るさを長期間に亘って維持することができるＬＥＤ投光器を提供する。【解決手段】前面が開口された器体１１と、前記器体１１の開口部内に収納配置されるプリント配線基板１９と、前記プリント配線基板１９上に実装される複数個の発光素子２０と、前記発光素子２０からの光をそれぞれ前方に向けて照射する複数個のレンズ２１と、前記発光素子２０に対応して前記レンズ２１が各々取り付けられる複数個のレンズ保持部３０を有し、該各レンズ保持部３０に前記レンズ２１を取り付け、前記各プリント配線基板１９の前側に配置させて前記器体１１の開口部内に収納配置されるレンズホルダー２９と、を備え、前記プリント配線基板１９は複数に分割され、前記レンズホルダー２９は前記プリント配線基板１９に対応して複数個に分割されていることを特徴とする投光器１０。【選択図】図２
2010251191.tif 000002
【特許請求の範囲】
【請求項１】
前面が開口された器体と、
前記器体の開口部内に収納配置されるプリント配線基板と、
前記プリント配線基板上に実装される複数個の発光素子と、
前記発光素子からの光をそれぞれ前方に向けて照射する複数個のレンズと、
前記発光素子に対応して前記レンズが各々取り付けられる複数個のレンズ保持部を有し、該各レンズ保持部に前記レンズを取り付け、前記各プリント配線基板の前側に配置させて前記器体の開口部内に収納配置されるレンズホルダーと、を備え、
前記プリント配線基板は複数に分割され、
前記レンズホルダーは前記プリント配線基板に対応して複数個に分割されていることを特徴とする投光器。
【請求項２】
前記プリント配線基板の前記発光素子が実装された側とは反対側の裏面に設けられた放熱体と、
前記器体の外側面に設けられ前記放熱体の熱を放熱する放熱ベルトと、を備える請求項１に記載の投光器。
【請求項３】
前記器体の外側面をその一部を残して焼き付け塗装しているとともに、前記器体の内面に前記放熱体の一部を当接して該放熱体を取り付け、該器体の前記焼き付け塗装をしていない一部外面に前記放熱ベルトを当接して取り付けていることを特徴とする請求項２に記載の投光器。
【請求項４】
前記プリント配線基板の中心部分に設けられた孔部と、
前記複数の発光素子に電気的に接続され、前記孔部から前記プリント配線基板の前記発光素子が実装された側とは反対側の裏面に導かれる信号線とを備える請求項１ないし３に記載の投光器。
【請求項５】
前記プリント配線基板と前記レンズホルダーは、前記放熱体に固定されて一体化されていることを特徴とする請求項１ないし４に記載の投光器。
【請求項６】
前記プリント配線基板には、レギュレータ用ＩＣを有する定電流回路を設けていることを特徴とする請求項１ないし５に記載の投光器。
【請求項７】
前記レギュレータ用ＩＣは、前記プリント配線基板の外周端部に位置して実装されているとともに、該レギュレータ用ＩＣのパッケージ外面に放熱板を取り付けていることを特徴とする請求項６に記載の投光器。
【請求項８】
前記複数個の発光素子は、発光色が異なる発光素子を含んでいることを特徴とする請求項１ないし７に記載の投光器。
【発明の詳細な説明】
【技術分野】
【０００１】
本発明はＬＥＤ(発光ダイオード)を光源とする投光器に関するものであり、特に、高層建造物やタワーのライトアップ等に使用するＬＥＤ投光器に関する。
【背景技術】
【０００２】
現在、高層建造物やタワーのライトアップ等に使用されている比較的大型の投光器は、ワット数が４００〜１０００ワット程の、高ワッテージの水銀灯や高輝度放電ランプ(ＨＩＤランプ)、ナトリュームランプ等の放電灯を使用している。しかしながら、このような放電灯は電力の使用量が多い。また、季節等によって色彩を変えるときには、その都度、白、赤、緑、青等の電球と交換する必要があり、手間がかかるという問題があった。さらに、電球色を変えたとしても、単に色をつけるだけのライトアップに過ぎなかった。
【０００３】
そこで、今日では、消費電力が少なく、白、赤、緑、青色等のＬＥＤを光源として使用することにより、色彩豊かなラットアップを可能にするＬＥＤ投光器も提案されている(例えば、特許文献１参照)。
【０００４】
このようなＬＥＤを光源とする投光器における明るさ及び消費電力を、水銀灯を光源とする投光器の明るさ及び消費電力と比較すると、４００ワットの水銀灯の明るさと３ワットのＬＥＤ２４個(７２ワット)の明るさがほぼ同等であることが実験等でわかった。したがって、同じ明るさを得るにも、水銀灯等を光源とする場合とＬＥＤを光源とする場合では、ＬＥＤを使用した方が消費電力も少なく済むことになる。
【先行技術文献】
【特許文献】
【０００５】
【特許文献１】特開平１０−２０８５０２号公報。
【発明の概要】
【発明が解決しようとする課題】
【０００６】
しかしながら、従来のＬＥＤを光源とする投光器では、多数個のＬＥＤとレギュレータ用ＩＣ等が実装されたプリント配線基板と、該各ＬＥＤの前側に配設されて各ＬＥＤからの光をそれぞれ前方に向けて照射する複数個のレンズと、前面が開口された器体等の部品を使用し、該器体内に該レンズ及び該プリント配線基板を各々収納する構造になっているので、部品数が多く、また、組立工数も多いことからコスト面での問題があった。さらに、投光器が大型化するのに伴って部品重量も大きくなり組立作業性が悪いという問題等も発生している。
【０００７】
さらに、投光器のＬＥＤが適正な明るさを長期間に亘って維持するには、過電流を防止する電源回路を設ける他、ＬＥＤの放熱性を高めて過熱状態になるのを抑え、ＬＥＤ本来の耐久性、長寿命が損なわれない構造にしておくことが必要になる。
【０００８】
本発明は、前記の事情に鑑みてなされたものであり、その目的とするところは、組立を簡素化して組立作業性を向上させるともに、ＬＥＤの適正な明るさを長期間に亘って維持することができるＬＥＤ投光器を提供することにある。
【課題を解決するための手段】
【０００９】
前記課題を解決するために、本発明に係る投光器は、前面が開口された器体と、前記器体の開口部内に収納配置されるプリント配線基板と、前記プリント配線基板上に実装される複数個の発光素子と、前記発光素子からの光をそれぞれ前方に向けて照射する複数個のレンズと、前記発光素子に対応して前記レンズが各々取り付けられる複数個のレンズ保持部を有し、該各レンズ保持部に前記レンズを取り付け、前記各プリント配線基板の前側に配置させて前記器体の開口部内に収納配置されるレンズホルダーと、を備え、前記プリント配線基板は複数に分割され、前記レンズホルダーは前記プリント配線基板に対応して複数個に分割されていることを特徴とする。
【００１０】
この構成によれば、プリント配線基板は複数個の発光素子としてのＬＥＤを実装してユニットの体を成しているプリント配線部の単位で器体の所定の位置へ組み込むことができ、また、レンズホルダーも複数個のレンズを取り付けてユニットの体をなしているレンズホルダー部の単位で器体の所定の位置に組み込むことができる。すなわち、器体内に各部品を個々の状態では組み込まずに、取り扱い易い重量と大きさを有する部品ユニットにして器体の所定の位置へ一体に組み込むので、組立作業工数が減少し、また、部品間のずれ量も少なくなる。
【００１１】
前記構成において、前記プリント配線基板の前記発光素子が実装された側とは反対側の裏面に設けられた放熱体と、前記器体の外側面に設けられ前記放熱体の熱を放熱する放熱ベルトと、を備える構成を採用できる。
【００１２】
放熱体を介してＬＥＤの放熱を行い、該ＬＥＤが過熱するのを防止でき、該ＬＥＤの適正な明るさを長期間に亘って維持することができる。また、放熱体の熱を放熱するための放熱ベルトを器体の外に設けた事で、より効率的にＬＥＤの放熱をする事が出来る。
【００１３】
前記構成において、前記器体の外側面をその一部を残して焼き付け塗装しているとともに、前記器体の内面に前記放熱体の一部を当接して該放熱体を取り付け、該器体の前記焼き付け塗装をしていない一部外面に前記放熱ベルトを当接して取り付ける、構成を採用できる。
【００１４】
この構成によれば、器体の外面の中、放熱ベルトを取り付けていない外面部分には焼き付け塗装が施してあるので、該器体表面が塩害等で錆びるのを防止できる。一方、放熱カバーが当接して取り付けられている外面部分は放熱カバーの当接で錆びるのが防止できる。また、焼き付け塗装がされていない放熱カバーと器体との当接部分では、焼き付け塗装に放熱が邪魔されることなく器体側の熱が放熱カバー側に良く伝わり、放熱性を高める。
【００１５】
前記構成において、前記プリント配線基板の中心部分に設けられた孔部と、前記複数の発光素子に電気的に接続され、前記孔部から前記プリント配線基板の前記発光素子が実装された側とは反対側の裏面に導かれる信号線とを備える、構成を採用できる。
【００１６】
この構成によれば、プリント配線基板の中心部分に設けられた孔部から信号線を引き出すため、分割されたプリント配線基板とレンズホルダーを組み合わせて投光器を組み立てる場合に、作業を簡単にする事ができる。
【００１７】
前記構成において、前記プリント配線基板と前記レンズホルダーは、前記放熱体に固定されて一体化されている、構成を採用できる。
【００１８】
この構成によれば、放熱体と前記プリント配線基板と前記レンズホルダーを予め一体化し、この一体化した状態で器体に組み込むことができる。これにより、組立作業工数が減少し、また、部品間のずれ量もさらに少なくすることができる。
【００１９】
前記構成において、前記プリント配線基板には、レギュレータ用ＩＣを有する定電流回路を設けている、構成を採用できる。
【００２０】
この構成によれば、定電流回路の制御によりＬＥＤに流れる過電流を防止し、適正な明るさを長期間に亘って維持することができる。
【００２１】
前記構成において、前記レギュレータ用ＩＣは、前記プリント配線基板の外周端部に位置して実装されているとともに、該レギュレータ用ＩＣのパッケージ外面に放熱板を取り付けている、構成を採用できる。
【００２２】
この構成によれば、レギュレータ用ＩＣの発熱及びプリント配線基板に発生する熱を、該ＩＣパッケージ外面に取り付けている放熱板を通してそれぞれ放熱することができる。
【００２３】
前記構成において、前記複数個の発光素子は、発光色が異なる発光素子を含んでいる、構成を採用できる。
【００２４】
この構成によれば、例えば白、赤、緑、青色等のＬＥＤを用いて所望の色への調整を行い、色彩豊かなライトアップ等を可能にすることができる。
【発明の効果】
【００２５】
本発明によれば、ＬＥＤ及びプリント配線基板等並びにレンズ等の各部品は、個々の部品状態では器体内に組み込まれることはなく、取り扱いし易い重量と大きさを有したユニットの単位にまとめて組み込むので、組立作業工数が減少し、また、部品間のずれ量も少なくなる。これにより、組立作業性並びに組立精度の良いＬＥＤ投光器が得られる。
【００２６】
また、ＬＥＤの発光時に発生する熱を放熱体等により外気に放熱させるとともに、ＬＥＤへの過電流を定電流回路で防止するようにしているので、適正な明るさを長期間に亘って維持することができる。
【００２７】
さらに、動きの有るライトアップ等が可能になるため、夜景の注目度がアップし、また、見る人に光りの色彩を楽しんでもらうことも可能になる。
【図面の簡単な説明】
【００２８】
【図１】本発明の実施形態におけるＬＥＤ投光器の前側枠扉を外した状態で示す平面図である。
【図２】図１のＡ−Ａ線縦断面図である。
【図３】図１のＢ−Ｂ線拡大断面図である。
【図４】図１のＣ−Ｃ線拡大断面図である。
【図５】ＬＥＤを実装した状態で示す同上ＬＥＤ投光器におけるプリント配線基板ユニットの平面図である。
【図６】同上ＬＥＤ投光器のレンズホルダーを示す平面図である。
【図７】ＬＥＤの駆動回路の一例を示す回路図である。
【発明を実施するための形態】
【００２９】
以下、本発明の最良の実施形態について、添付図面を参照しつつ説明する。図１〜図７に本発明に係る実施形態のＬＥＤ投光器を示す。なお、以下の説明において、図２の上下方向上側を前方、下側を後方として説明し、また前方を照射方向とする。
【００３０】
図１及び図２において、ＬＥＤ投光器１０は器体１１を備えている。該器体１１は、前後の面が開口されている略半球状のハウジング部１１ａと、該ハウジング部１１ａの後面側の開口部１２ａを塞いで該ハウジング部１１ａの後部にボルト(図示せず)で固定された円筒状のソケット取付部１１ｂ等により構成されている。なお、ハウジング部１１ａ及びソケット取付部１１ｂの外面には、防錆用としての焼き付け塗装が施されている。
【００３１】
また、前記ソケット取付部１１ｂ内には電源回路ユニット１３が配設され、ハウジング部１１ａ内の後部には制御回路ユニット１４が配設されている。該電源回路ユニット１３にはソケット取付部１１ｂに設けた孔１５を貫通して外部に導出された電源線１６が取り付けられ、前記制御回路ユニット１４には同じく該孔１５を貫通して外部に導出された信号線１７が取り付けられている。
【００３２】
さらに、前記ハウジング部１１ａ内における前記前面側の開口部１２ｂの周辺には、該ハウジング部１１ａの内側(後面側)から順に、前記放熱体１８、プリント配線基板１９、複数個のＬＥＤ２０,２０…、複数個のレンズ２１,２１…等が配設されている。
【００３３】
前記放熱体１８は、前記ハウジング部１１ａの前面側の開口部分１２ｂとほぼ同じ大きさで、かつ、円板状をしたアルミ製の放熱板２２と、該放熱板２２のほぼ裏面全体に設けられている同じくアルミ製の放熱フィン２３で構成されている。そして、該放熱体１８は、該放熱体１８の放熱板２２の外周部から裏面(後面)側へほぼ直角に折り曲げられている取付部２２ａをハウジング部１１ａの内面にビス２４で固定することにより、該ハウジング部１１に取り付けられている。また、該放熱体１８の中央部には前記制御回路ユニット１４から延びる信号線２５を貫通させる孔１８ａを設けている。信号線２５は、複数のＬＥＤ２０に電気的に接続され、孔部２６からプリント配線基板１９のＬＥＤが実装された側とは反対側の裏面に導かれている。
【００３４】
前記プリント配線基板１９は、全体として円板状に形成されており、該プリント配線基板１９の中心位置を前記ハウジング部１１ａの中心位置及び前記放熱体１８の中心位置とほぼ一致させて、前記放熱板２２上に取り付けられている。なお、該ハウジング部１１ａの中心は前記放熱体１８の中心とほぼ一致している。また、該プリント配線基板１９の中央部には、前記制御回路ユニット１４から前記放熱体１８の中央の孔１８ａを貫通して延びる前記信号線２５が貫通する孔部２６を設けている。そして、該プリント配線基板１９は、該プリント配線基板１９側で発生する熱を放熱体１８側に伝えて放熱するために、該プリント配線基板１９の裏面全体を放熱板２２に密着させて該放熱板２２上に配設される。また、該プリント配線基板１９の表面(前面)側には回路配線端子(図示せず)が複数形成されており、該回路配線端子上にそれぞれ前記ＬＥＤ２０,２０…を実装している。
【００３５】
なお、前記プリント配線基板１９は、前記中央の孔部２６のほぼ中心位置から外側へ向かって放射状に分割され、本例では４個のプリント配線基板部１９ａ,１９ｂ,１９ｃ,１９ｄとして等分割されている。すなわち、１枚のプリント配線基板１９を複数個のプリント配線基板部１９ａ〜１９ｄに分割することにより、１枚のプリント配線基板部１９ａ〜１９ｄの軽量化が図れ、組立時等における作業が容易となるように構成されている。そして、各プリント配線基板部１９ａ〜１９ｄには、それぞれ複数個の前記ＬＥＤ２０,２０…が中心位置から外側へ向かって放射状に取り付けられる。図５はプリント配線基板部１９ａ(または１９ｂ,１９ｃ,１９ｄ)の所定の位置(回路配線端子が設けられている位置)にＬＥＤ２０,２０…を実装した状態を概略的に示す図である。また、プリント配線基板１９には、レギュレータ用ＩＣ２７を有する定電流回路を設けている。ここでは、各プリント配線板部１９ａ〜１９ｄの外周端部に、該ＬＥＤ２０,２０…の点灯を各々制御する複数個のレギュレータ用ＩＣ２７,２７…を互いに離間してそれぞれ半田付け実装している。
【００３６】
さらに、前記各プリント配線基板部１９ａ〜１９ｄには、該プリント配線基板部１９ａ〜１９ｄ毎に、それぞれ帯状をした放熱板としてのアルミ製の放熱ベルト２８が該各レギュレータ用ＩＣ２７,２７…のパッケージ外面に取付ビス３５で取り付けられている。
【００３７】
したがって、本例における各プリント配線基板部１９ａ〜１９ｄは、ＬＥＤ２０,２０…とレギュレータ用ＩＣ２７,２７…と放熱ベルト２８をそれぞれ予め取り付け、ユニット化された状態で各々用意される。そして、このユニット化された各プリント配線基板部１９ａ〜１９ｄを前記放熱板２２上に平面状に並べてセットし、かつ、前記制御回路ユニット１４から延びる信号線２５,２５…を各プリント配線基板部１９ａ〜１９ｄに接続させると、放熱板２２の所定の位置にそれぞれ該ユニット化された各プリント配線基板部１９ａ〜１９ｄを簡単に組み付けることができる。
【００３８】
前記複数個のレンズ２１,２１…は、前記放熱板２２の前面を覆う大きさの円板状をした樹脂製のレンズホルダー２９に各々取り付けられている。該レンズホルダー２９は、前記プリント配線基板１９の各プリント配線基板部１９ａ〜１９ｄに対応させて、該レンズホルダー部２９のほぼ中心位置から外側へ向かって放射状に分割され、本例では４個のレンズホルダー部２９ａ,２９ｂ,２９ｃ,２９ｄとして等分割されている。そして、該各レンズホルダー部２９ａ〜２９ｄに、前記各プリント配線基板部１９ａ〜１９ｄ上の各ＬＥＤ２０,２０…に対応させてそれぞれレンズ保持部としてのレンズ孔３０,３０…を設け、該レンズ孔３０,３０…内に前記ＬＥＤ２０,２０…を各々取り付けている。図６は分割されたレンズホルダー部２９ａ(または２９ｂ,２９ｃ,２９ｄ)にレンズ２１,２１…を取り付けた状態を概略的に示す図である。したがって、該レンズホルダー２９もプリント配線基板１９と同様に、１枚のレンズホルダー２９をレンズホルダー部２９ａ〜２９ｄの複数個に分割することにより、１個のレンズホルダー部２９ａ,２９ｂ,２９ｃ,２９ｄの軽量化が図れ、組立時等における作業が容易となるように構成されている。
【００３９】
また、前記レンズホルダー部２９ａ〜２９ｄと前記各プリント配線基板部１９ａ〜１９ｄと前記放熱板２２には、それぞれ対応した位置に取付孔が設けられている。該プリント配線板部１９ａ〜１９ｄ側の取付孔３６ａ,３６ａ…は図５に示し、該レンズホルダー部２９ａ〜２９ｄ側の取付孔３６ｂ,３６ｂ…は図６に示す。そして、該レンズホルダー２９は、前記放熱板２２上に平面状に並べてセットされた該プリント配線基板１９の上に、スペーサ３８を介してさらに平面状に並べてセットされる。そして、該レンズホルダー２９側から、該レンズホルダー２９の取付孔３６ｂと該プリント配線基板１９の取付孔３６ａを順に通って前記放熱板２２の取付孔(図示せず)に螺合される取付ビス３１が取り付けられ、該取付ビス３１の緊締により、プリント配線基板１９(プリント配線基板部１９ａ〜１９ｄ)とレンズホルダー２９(レンズホルダー部２９ａ〜２９ｄ)は、放熱体１８の一部である放熱板２２に固定されて一体化される。また、このようにプリント配線基板部１９ａ〜１９ｄとレンズホルダー部２９ａ〜２９ｄが固定された状態では、各レンズホルダー部２９ａ〜２９ｄに取り付けられている各レンズ２１,２１…の中心位置とプリント配線基板部１９ａ〜１９ｄに実装されている各ＬＥＤ２０,２０…の発光中心とが一致し、該ＬＥＤ２０,２０…から発光される光をそれぞれ対応している該レンズ２１,２１…を通して前方に向けて照射できる。
【００４０】
なお、このようにして放熱体１８、プリント配線基板１９、ＬＥＤ２０,２０…、レギュレータ用ＩＣ２７,２７…、放熱ベルト２８,２８…及びレンズホルダー２９並びにレンズ２１,２１…が各々取り付けられた前記ハウジング部１１ａの前面部には、光透過性のガラス３２を装着した防水カバー３３を取り付けている。
【００４１】
一方、前記ハウジング部１１ａの外側には、取付ビス３７で固定されて、アルミ製の放熱ベルト３４が該ハウジング部１１ａのほぼ全周に亘って取り付けられている。なお、上述したようにハウジング１１ａとソケット取付部１１ｂの外面には防錆用としての焼き付け塗装が施されているが、該ハウジング部１１ａ側で発生する熱を放熱ベルト３４側に伝え、該放熱ベルト３４から外気に放熱される効果を高めるために、放熱ベルト３４を当接させて取り付けるハウジング部１１ａの外面部(図２中に符号Ｓで示す範囲)には、焼き付け塗装を設けていない構造にしている。そして、放熱ベルト３４をハウジング部１１ａの外面に直に接触させて取り付けている。
【００４２】
図７は、ＬＥＤ２０,２０…を点灯駆動する駆動回路の一例を示す。本例における駆動回路は、前記レギュレータ用ＩＣ２７,２７…に抵抗器Ｒ１,Ｒ２とＬＥＤ４０を直列に接続してなる負荷電流調整用抵抗器をそれぞれ前段側に設けているとともに、該負荷電流調整用抵抗器に５個の前記被駆動用のＬＥＤ２０,２０…を直列に接続して設け、１つの駆動回路で負荷調整用のＬＥＤ４０と５個のＬＥＤ２０,２０…をそれぞれ発光駆動することができるように構成している。また、該駆動回路ではＬＥＤ２０,２０…への過電流を防止する定電流回路に使用しているＬＥＤ４０を被駆動用ＬＥＤ２０,２０…に加えて駆動することができる。そして、該定電流回路の制御によりＬＥＤ２０,２０…に流れる過電流を防止するので、適正な明るさを長期間に亘って維持することができる。
【００４３】
したがって、本実施形態として示したＬＥＤ投光器１０は、複数個のＬＥＤ２０,２０…及びレギュレータ用ＩＣ２７,２７…が実装されているプリント配線基板１９はほぼ中心位置から外側へ向かって放射状に複数個(４個)に分割されて各々がユニット化されており、このユニット化されたプリント配線基板部１９ａ〜１９ｄを器体１１におけるハウジング部１１ａの所定位置へ一体に組み込むことができる。また、ＬＥＤ２０,２０…の前方に配設される複数個のレンズ２１,２１…を取り付けているレンズホルダー２９も、プリント配線基板１９と同様、ほぼ中心位置から外側へ向かって放射状に複数個に分割されて各々がユニット化されており、このユニット化されたレンズホルダー部２９ａ〜２９ｄをハウジング部１１ａの所定の位置へ一体に組み込むことができる。すなわち、器体１１のハウジング部１１ａ内に各部品を個々に組み込まずに、取り扱い易い重量と大きさを有する部品ユニットにして該ハウジング部１１ａの所定の位置に組み込むので、組立作業工数が減少し、また、部品間のずれ量も少なくなり、組立作業性並びに組立精度の良いＬＥＤ投光器が得られる。
【００４４】
また、ＬＥＤ２０,２０…等の発熱を、放熱ベルト２８及び放熱体１８等を介して放熱ベルト３４に伝達して外気に放熱し、ＬＥＤ２０,２０が過熱するのを防止するようにしているので、該ＬＥＤ２０,２０…の適正な明るさを長期間に亘って維持することができる。
【００４５】
なお、本発明は、本発明の精神を逸脱しない限り種々の改変を為すことができ、そして、本発明が該改変されたものに及ぶことは当然である。
【００４６】
例えば、複数個のＬＥＤ２０,２０…は発光色が異なる、例えば白、赤、緑、青色等のＬＥＤ２０,２０…を使用し、ライトアップする被照明建造物に対する色設計をし、時間の経過とともに色が変化するようにコンピュータ等で制御すれば、刻々と変わる色彩を楽しむことも可能になる。
【産業上の利用可能性】
【００４７】
以上説明したように、本発明は従来の高層ビルやタワーの静止ライトアップに代わって、動きの有るライトアップが可能になるため、夜景の注目度がアップし、また、見る人に光りの色彩を楽しんでもらうことができるので、室内外の照明装置等としても応用できる。
【符号の説明】
【００４８】
１０        ＬＥＤ投光器
１１        器体
１１ａ      ハウジング部
１１ｂ      ソケット取付部
１２ａ      後面開口部
１２ｂ      前面開口部
１８        放熱体
１８ａ      孔
１９        プリント配線基板
１９ａ〜１９ｄ  プリント配線基板部
２０        ＬＥＤ
２１        レンズ
２２        放熱板
２３        放熱フィン
２６        孔部
２７        レギュレータ用ＩＣ
２８        放熱ベルト
２９        レンズホルダー
２９ａ〜２９ｄ  レンズホルダー部
３０        レンズ孔(レンズ保持部)
３２        ガラス
３３        防水カバー
３４        放熱ベルト
Ｓ          焼き付け塗装をしていない部分
【図１】
2010251191.tif 000003
【図２】
2010251191.tif 000004
【図３】
2010251191.tif 000005
【図４】
2010251191.tif 000006
【図５】
2010251191.tif 000007
【図６】
2010251191.tif 000008
【図７】
2010251191.tif 000009